(57)【特許請求の範囲】
【請求項１】
洗面ボールの上方に位置するとともに、内部に収納部が設けられたキャビネット本体と、このキャビネット本体の前部に取り付けられて前記収納部を閉塞する扉とを備えた洗面キャビネットにおいて、
前記キャビネット本体の底部に開放部を形成するとともに、当該開放部に、開口が形成された受け部材を配置し、当該受け部材は、線材を略同一平面内で縦横に組み合わせた網状若しくはネット状、若しくは多数の孔を備えた板により構成され、各線材間の隙間若しくは孔により前記開口が形成されていることを特徴とする洗面キャビネット。
【請求項２】
前記開放部は、キャビネット本体の底部全域に設けられ、当該開放部全域に前記受け部材が配置されていることを特徴とする請求項１記載の洗面キャビネット。
【発明の詳細な説明】
【技術分野】
【０００１】
本発明は洗面キャビネットに係り、更に詳しくは、キャビネット本体内の収納対象物が水等で濡れた状態であっても、洗面ボールに水滴を落下させることができるとともに、内外に空気流通を行えるようにしてキャビネット本体内の自然乾燥を促進することができる洗面キャビネットに関する。
【背景技術】
【０００２】
洗面室等に設置される洗面キャビネットは、洗面ボールと、当該洗面ボールの上方に位置するとともに、内部に収納部が設けられたキャビネット本体と、このキャビネット本体の前部に取り付けられて前記キャビネット本体を閉塞する扉とを備えた構成が採用されている。
【０００３】
前記キャビネット本体内には、収納対象物の載置面となる棚板若しくは仕切板や、トレイ等が配置されるようになっており、これにより、複数の区分に仕切られた収納部を設ける構成が知られている（例えば、特許文献１参照）。
【０００４】
【特許文献１】特開２００３−２３５６５５号公報
【発明の開示】
【発明が解決しようとする課題】
【０００５】
しかしながら、特許文献１に記載された洗面キャビネットにあっては、キャビネット本体の底部が板状をなしており、例えば、洗面用のコップを収納対象としたときに、当該コップに付着した水滴がコップの外周面を伝って前記底部に滴下し、水滴のまま長時間残ってしまい、水垢が底部に付着したり、或いは、カビ等を発生させたりする、という不都合がある。
また、キャビネット本体は、扉によって前部が閉塞される構成であるため、密閉構造ではないものの、キャビネット本体の内外に空気を自然に流通させる積極的な構成は採用されていない。従って、キャビネット本体に収納された対象物、例えば、歯ブラシ等の早期乾燥はあまり期待できないものとなる。
【０００６】
［発明の目的］
本発明は、このような不都合に着目して案出されたものであり、その目的は、収納対象物が水に濡れてキャビネット本体の底部側に流れても、これを洗面ボールに落下させることができ、また、キャビネット本体内に湿気がこもることなく収納対象物の早期乾燥を期待することのできる洗面キャビネットを提供することにある。
【課題を解決するための手段】
【０００７】
前記目的を達成するため、本発明は、洗面ボールの上方に位置するとともに、内部に収納部が設けられたキャビネット本体と、このキャビネット本体の前部に取り付けられて前記収納部を閉塞する扉とを備えた洗面キャビネットにおいて、
前記キャビネット本体の底部に開放部を形成するとともに、当該開放部に、開口が形成された受け部材を配置し、当該受け部材は、線材を略同一平面内で縦横に組み合わせた網状若しくはネット状、若しくは多数の孔を備えた板により構成され、各線材間の隙間若しくは孔により前記開口が形成されている、という構成を採っている。
【０００８】
本発明において、前記開放部は、キャビネット本体の底部全域に設けられ、当該開放部全域に前記受け部材が配置されている。
【０００９】
なお、本発明における開口とは、前記開放部に配置された受け部材がキャビネット本体の内外に連通する部分を含み、従って、様々な形状の孔やスリット、更には、線材を同一平面内で縦横に組み合わせて形成された受け部材の線材間に存在する空間ないし隙間等をも含む概念として用いられる。
【発明の効果】
【００１０】
本発明によれば、受け部材が開口を備えているため、当該受け部材に載せられる収納対象物が水に濡れたものであっても、その水が受け部材の開口から下方の洗面ボールに落下するようになり、受け部材に水滴が残るような不都合を解消することができる。
【発明を実施するための最良の形態】
【００１２】
以下、本発明の好ましい実施の形態について、図面を参照しながら説明する。
【００１３】
図１には、本実施形態における洗面キャビネットの概略斜視図が示されている。この図において、洗面キャビネット１０は、キャビネット本体１１と、当該キャビネット本体１１の前部中央に配置された中央扉１２と、この中央扉１２の左右両側に配置された一対の袖扉１３，１３とを備えて構成されている。
【００１４】
前記キャビネット本体１１は、洗面ボール１４を備えたベースキャビネット１５の後部上方位置に設けられている。このキャビネット本体１１は、中央扉１２の後部に設けられた中央収納部１６と、左右両側に位置する外側収納部１７（右側は図示省略）と、中央収納部１６及び外側収納部１７の下部に設けられた下部収納部１８とを備え、これら収納部１６〜１８の前部開放側が中央扉１２及び袖扉１３によって閉塞されるようになっている。ここで、中央収納部１６及び外側収納部１７には、取り付け高さ位置が調整可能なトレイ２０，２１が配置されている。
【００１５】
前記下部収納部１８は、図２に示されるように、当該下部収納部１８の左右幅を決定する左右一対の側壁２３と、これら側壁２３間において前記中央収納部１６及び外側収納部１７との境界を形成する仕切板２４とを備えて下部が開放部２５として形成されている。開放部２５には、受け部材２６が配置されており、当該受け部材２６は、スチール等からなる線材を略同一平面内で縦横に組み合わせた網状若しくはネット状に形成され、各線材間の隙間により開口２６Ａが形成され、これにより、受け部材２６上に水に濡れたコップ等が載置されても、コップの外周面に付着した水滴は、その自重により、下方の洗面ボール１４に落下できるようになっている。
【００１６】
前記受け部材２６の支持は、前記一対の側壁２３の下部に連設された屈曲部３０と、キャビネット本体１５における後壁３１の下部中央に設けられた凸部３３と、側壁２３の下部前面部間にねじ３５を介して取り付けられる板状のフレーム３６により行われるようになっている。ここでフレーム３６は、左右方向に長い板状体３６Ａと、その板状体３６Ａの背面側の左右二箇所から後方に突出する突片３６Ｂを備え、これら突片３６Ｂに受け部材２６の前端部左右二箇所が載るようになっている。つまり、図３に示されるように、板状体３６Ａの上端面は、突片３６Ｂの上面よりも幾分高い位置にあり、これにより、板状体３６Ａの上端内面側に受け部材２６の前端が係合して、当該受け部材２６が板状体３６Ａを乗り越えて前方に脱落することがないようになっている。
【００１７】
前記中央扉１２及び袖扉１３は、それぞれヒンジ３８を介して側壁２３の上下前端部に回転可能に取り付けられている。これら中央扉１２及び袖扉１３は、図３に示されるように、閉塞位置にある状態で、キャビネット本体１１との間に空気通路としての隙間Ｓを形成するように設けられており、これにより、キャビネット本体１１の内部すなわち各収納部１６〜１８が内外に連通するようになっている。
【００１８】
前記構成において、受け部材２６には、例えば、歯磨き用のコップや、歯ブラシ立て等を収納することができる。これにより、コップや歯ブラシに付着した水は、受け部材２６上に滴下若しくは流下でき、当該受け部材２６の開口２６Ａを通じて洗面ボール１４内に落下することとなる。また、落下することなくコップ等に微細な水滴が残っても、受け部材２６の開口２６Ａと各扉１２，１３とキャビネット本体１１との間の隙間Ｓが連通する状態となり、キャビネット本体１１が内外に連通して空気流通できることとなる。
【００１９】
従って、このような実施形態によれば、下部収納部１８内に水がたまるようなことはなく、また、微細な水滴が残っても、受け部材２６の穴２６Ａ及び扉１２，１３回りの隙間Ｓを通じた空気流通により、キャビネット本体１１内の自然乾燥を効率的に促すことができる、という効果を得る。
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２１】
例えば、前記実施形態では、受け部材２６として、線材を縦横に組み合わせた網状体を採用した場合を図示説明したが、本発明はこれに限定されるものではなく、例えば、ステンレス板に多数のパンチング孔を形成してもよい。また、受け部材２６の支持構造も、例えば屈曲部３０に溝を形成し、その溝に受け部材２６を差し込む構成としたり、後壁３１や屈曲部３０に受け部材２６を支持するピン等を設ける構成としても良い。更に、中央収納部１６及び外側収納部１７の各底部に、下部収納部１８と同様の開放部を設けて同様の受け部材を配置することもできる。
【図面の簡単な説明】
【００２２】
【図１】実施形態に係る洗面キャビネットの全体構成を示す概略斜視図。
【図２】洗面キャビネットの要部を一部分解した拡大図。
【図３】洗面キャビネットの一部を断面した要部拡大側面図
【符号の説明】
【００２３】
１０…洗面キャビネット、１１…キャビネット本体、１２…中央扉、１３…袖扉、１４…洗面ボール、１８…下部収納部、２５…開放部、２６…受け部材、２６Ａ…開口、Ｓ…隙間（空気通路）
【図１】
0004490377.tif 000002
【図２】
0004490377.tif 000003
【図３】
0004490377.tif 000004